(57)【要約】【課題】配光特性を向上させることが可能な発光装置、表示装置および照明装置を提供する。【解決手段】第１発光素子領域および第２発光素子領域と、各発光素子領域に設けられた第１反射界面と前記第１反射界面に対向する光取出面と、前記第１発光素子領域の前記第１反射界面と前記光取出面との間に設けられた第１発光層と、前記第２発光素子領域に設けられた第２発光層と、各々の発光素子層と、前記光取出面との間に設けられ、その反射が各々の発光の中心波長に対して強め合うように構成された第２反射界面と、前記第２反射界面と前記光取出面との間に設けられ、前記第１発光層の発光に対して弱め合い、前記第２発光層の発光に対して強め合うように構成された第３反射界面と、前記第３反射界面と前記光取出面との間に設けられ、前記第１発光層の発光に対して弱め合い、前記第２発光層の発光対して強め合うように構成された第４反射界面とを備えた発光装置。【選択図】図２Ａ
2020123589.tif 000002
【特許請求の範囲】
【請求項１】
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と、
前記第３反射界面と前記光取出面との間に設けられ、その反射が前記第１発光層の発光スペクトルの中心波長に対して弱め合うとともに、前記第２発光層の発光スペクトルの中心波長に対して強め合うように構成された第４反射界面と
を備えた発光装置。
【請求項２】
前記第１反射界面は、前記第１発光層および前記第２発光層の発光スペクトルの中心波長に対して強め合うように構成されている
請求項１記載の発光装置。
【請求項３】
前記第１反射界面と前記第１発光層の発光中心との光学距離をＬ１１、前記第２反射界面と前記第１発光層の発光中心との光学距離をＬ１２、前記第３反射界面と前記第１発光層の発光中心との光学距離をＬ１３、前記第４反射界面と前記第１発光層の発光中心との光学距離をＬ１４、前記第１発光層の発光スペクトルの中心波長をλ１としたとき、Ｌ１１、Ｌ１２、Ｌ１３およびＬ１４は以下の式（１）〜（８）を全て満たす
請求項２記載の発光装置。
２Ｌ１１／λ１１+ａ１／（２π）＝ｍ１（ただし、ｍ１≧０）・・・・・（１）
２Ｌ１２／λ１２+ａ２／（２π）＝ｍ２・・・・・（２）
２Ｌ１３／λ１３+ａ３／（２π）＝ｍ３＋１/２・・・・・（３）
２Ｌ１４／λ１４+ａ４／２π＝ｍ４＋１/２・・・・・（４）
λ１−１５０＜λ１１＜λ１＋８０・・・・・（５）
λ１−８０＜λ１２＜λ１＋８０・・・・・（６）
λ１−１５０＜λ１３＜λ１＋１５０・・・・・（７）
λ１−１５０＜λ１４＜λ１＋１５０・・・・・（８）
ただし、ｍ１、ｍ２、ｍ３、ｍ４：整数
λ１、λ１１、λ１２、λ１３およびλ１４の単位：ｎｍ
ａ１：第１発光層から出射された各波長の光が第１反射界面で反射する際の位相変化
ａ２：第１発光層から出射された各波長の光が第２反射界面で反射する際の位相変化
ａ３：第１発光層から出射された各波長の光が第３反射界面で反射する際の位相変化
ａ４：第１発光層から出射された各波長の光が第４反射界面で反射する際の位相変化
【請求項４】
ｍ１＝０、ｍ２＝１である
請求項３記載の発光装置。
【請求項５】
前記第１反射界面と前記第２発光層の発光中心との光学距離をＬ２１、前記第２反射界面と前記第２発光層の発光中心との光学距離をＬ２２、前記第３反射界面と前記第２発光層の発光中心との光学距離をＬ２３、前記第４反射界面と前記第２発光層の発光中心との光学距離をＬ２４、前記第２発光層の発光スペクトルの中心波長をλ２としたとき、Ｌ２１、Ｌ２２、Ｌ２３およびＬ２４は以下の式（９）〜（１６）を全て満たす
請求項２記載の発光装置。
２Ｌ２１／λ２１+ｃ１／（２π）＝ｎ１（ただし、ｎ１≧０）・・・・・（９）
２Ｌ２２／λ２２+ｃ２／（２π）＝ｎ２・・・・・（１０）
２Ｌ２３／λ２３+ｃ３／（２π）＝ｎ３・・・・・（１１）
２Ｌ２４／λ２４+ｃ４／（２π）＝ｎ４・・・・・（１２）
λ２−１５０＜λ２１＜λ２＋８０・・・・・（１３）
λ２−８０＜λ２２＜λ２＋８０・・・・・（１４）
λ２−１５０＜λ２３＜λ２＋１５０・・・・・（１５）
λ２−１５０＜λ２４＜λ２＋１５０・・・・・（１６）
ただし、ｎ１、ｎ２、ｎ３、ｎ４：整数
λ２、λ２１、λ２２、λ２３およびλ２４の単位：ｎｍ
ｃ１：第２発光層から出射された各波長の光が第１反射界面で反射する際の位相変化
ｃ２：第２発光層から出射された各波長の光が第２反射界面で反射する際の位相変化
ｃ３：第２発光層から出射された各波長の光が第３反射界面で反射する際の位相変化
ｃ４：第２発光層から出射された各波長の光が第４反射界面で反射する際の位相変化
【請求項６】
ｎ１＝０、ｎ２＝１である
請求項５記載の発光装置。
【請求項７】
更に、前記第２反射界面と前記第３反射界面との間、前記第３反射界面と前記第４反射界面との間および、前記第４反射界面と前記光取出面との間の少なくともいずれか１つに第５反射界面を有する
請求項１記載の発光装置。
【請求項８】
更に、前記第１発光素子領域および前記第２発光素子領域に設けられ、前記第１発光層および前記第２発光層を間にして互いに対向する第１電極および第２電極を有し、
前記第１電極は、前記第１反射界面を間にして前記第１発光層および前記第２発光層と対向し、
前記第２電極は、前記第１発光層および前記第２発光層と光取出面との間に設けられている
請求項１記載の発光装置。
【請求項９】
更に、基板を含み、
前記基板に近い位置から順に、前記第１電極と、前記第１発光層および前記第２発光層と、前記第２電極とが設けられている
請求項８記載の発光装置。
【請求項１０】
更に、基板を含み、
前記基板に近い位置から順に、前記第２電極と、前記第１発光層および前記第２発光層と、前記第１電極とが設けられている
請求項８記載の発光装置。
【請求項１１】
更に、前記第１発光層を含む第１有機層と、
前記第２発光層を含む第２有機層とを有する
請求項１記載の発光装置。
【請求項１２】
前記第１発光層および前記第２発光層は印刷層である
請求項１１記載の発光装置。
【請求項１３】
更に、前記第１発光素子領域および前記第２発光素子領域に設けられた半透明反射層または透明反射層を有し、
前記第２反射界面は、前記半透明反射層または前記透明反射層により形成されている
請求項１記載の発光装置。
【請求項１４】
更に、前記第１発光素子領域および前記第２発光素子領域に設けられた金属層およびカラーフィルタを有し、
前記第２反射界面は、前記第１有機層および前記第２有機層各々と、前記金属層との界面である
請求項１１記載の発光装置。
【請求項１５】
前記金属層の厚みは５ｎｍ以上である
請求項１４記載の発光装置。
【請求項１６】
発光装置および前記発光装置を画素毎に駆動する駆動素子を備え、
前記発光装置は、
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と、
前記第３反射界面と前記光取出面との間に設けられ、その反射が前記第１発光層の発光スペクトルの中心波長に対して弱め合うとともに、前記第２発光層の発光スペクトルの中心波長に対して強め合うように構成された第４反射界面とを備えた
表示装置。
【請求項１７】
発光装置を備え、
前記発光装置は、
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と、
前記第３反射界面と前記光取出面との間に設けられ、その反射が前記第１発光層の発光スペクトルの中心波長に対して弱め合うとともに、前記第２発光層の発光スペクトルの中心波長に対して強め合うように構成された第４反射界面とを備えた
照明装置。
【発明の詳細な説明】
【技術分野】
【０００１】
本開示は、有機エレクトロルミネッセンス（ＥＬ；Electro Luminescence）現象により発光する有機電界発光素子などを用いた発光装置、表示装置および照明装置に関する。
【背景技術】
【０００２】
近年、有機ＥＬ素子を用いた発光装置の構造について、多数の提案がなされている（例えば特許文献１〜４）。有機ＥＬ素子を用いた発光装置は、例えば、表示装置や照明装置に適用される。
【先行技術文献】
【特許文献】
【０００３】
【特許文献１】国際公開ＷＯ０１／０３９５５４号パンフレット
【特許文献２】特開２００６−２４４７１３号公報
【特許文献３】特開２０１１−１５９４３１号公報
【特許文献４】特開２０１１−１５９４３３号公報
【発明の概要】
【発明が解決しようとする課題】
【０００４】
このような発光装置では、配光特性を向上させることが望まれる。
【０００５】
配光特性を向上させることが可能な発光装置、表示装置および照明装置を提供することが望ましい。
【課題を解決するための手段】
【０００６】
本開示の一実施の形態に係る発光装置は、第１発光素子領域および第２発光素子領域と、第１発光素子領域および第２発光素子領域に設けられた第１反射界面と、第１反射界面に対向する光取出面と、第１発光素子領域の第１反射界面と光取出面との間に設けられた第１発光層と、第２発光素子領域の第１反射界面と光取出面との間に設けられた第２発光層と、第１発光層および第２発光層各々と、光取出面との間に設けられ、その反射が第１発光層および第２発光層の発光スペクトルの中心波長に対して強め合うように構成された第２反射界面と、第２反射界面と光取出面との間に設けられ、その反射が第１発光層の発光スペクトルの中心波長に対して弱め合うとともに、第２発光層の発光スペクトルの中心波長に対して強め合うように構成された第３反射界面と、第３反射界面と光取出面との間に設けられ、その反射が第１発光層の発光スペクトルの中心波長に対して弱め合うとともに、第２発光層の発光スペクトルの中心波長に対して強め合うように構成された第４反射界面とを備えたものである。
【０００７】
本開示の一実施の形態に係る表示装置は、発光装置および発光装置を画素毎に駆動する駆動素子を備え、この発光装置として、上記本開示の一実施の形態に係る発光装置を備えたものである。
【０００８】
本開示の一実施の形態に係る照明装置は、上記本開示の一実施の形態に係る発光装置を備えたものである。
【０００９】
本開示の一実施の形態に係る発光装置、表示装置および照明装置では、第３反射界面および第４反射界面での反射が、第１発光層の発光スペクトルの中心波長に対して弱め合うとともに、第２発光層の発光スペクトルの中心波長に対して強め合うように構成されている。このように、第１発光素子領域と第２発光素子領域との間で、第３反射界面および第４反射界面での反射条件を異ならせることができるので、発光素子領域毎に、発光状態が調整される。
【発明の効果】
【００１０】
本開示の一実施の形態に係る発光装置、表示装置および照明装置によれば、第１発光素子領域と第２発光素子領域との間で、第３反射界面および第４反射界面での反射条件を異ならせるようにしたので、発光素子領域毎に、発光状態を調整することができる。よって、配光特性を向上させることが可能となる。なお、ここに記載された効果は必ずしも限定されるものではなく、本開示中に記載されたいずれの効果であってもよい。
【図面の簡単な説明】
【００１１】
【図１】本開示の一実施の形態に係る発光装置の概略構成を表す断面図である。
【図２Ａ】図１に示した赤色有機ＥＬ素子の構成を表す断面図である。
【図２Ｂ】図１に示した青色有機ＥＬ素子の構成を表す断面図である。
【図３】図２Ａに示した第１反射界面により反射された光の透過率を表す図である。
【図４】図３に、第１反射界面および第２反射界面により反射された光の透過率を重ねて表す図である。
【図５】図２Ａに示した第２反射界面の他の例（１）を表す断面図である。
【図６】図２Ａに示した第２反射界面の他の例（２）を表す断面図である。
【図７Ａ】図２Ａに示した第１反射界面〜第３反射界面により反射された光の透過率を表す図である。
【図７Ｂ】図７Ａに示した縦軸の透過率を規格化して表す図である。
【図８Ａ】図２Ａに示した第１反射界面〜第４反射界面により反射された光の透過率を表す図である。
【図８Ｂ】図８Ａに示した縦軸の透過率を規格化して表す図である。
【図９Ａ】図２Ｂに示した第１反射界面〜第４反射界面により反射された光の透過率を表す図である。
【図９Ｂ】図９Ａに示した縦軸の透過率を規格化して表す図である。
【図１０】図１に示した発光装置の動作について説明するための断面図である。
【図１１】図１に示した発光装置の視野角による色度の変化の一例を表す図である。
【図１２】図１に示した発光装置の視野角による輝度の変化の一例を表す図である。
【図１３】変形例１に係る赤色有機ＥＬ素子の概略構成を表す断面図である。
【図１４】図１３に示した赤色有機ＥＬ素子の分光反射率を表す図である。
【図１５】変形例２に係る赤色有機ＥＬ素子の概略構成を表す断面図である。
【図１６】図１５に示した赤色有機ＥＬ素子の他の例（１）を表す断面図である。
【図１７】図１５に示した赤色有機ＥＬ素子の他の例（２）を表す断面図である。
【図１８】図１５に示した赤色有機ＥＬ素子の他の例（３）を表す断面図である。
【図１９】変形例３に係る発光装置の概略構成を表す断面図である。
【図２０】図１等に示した発光装置を適用させた表示装置の構成を模式的に表す断面    図である。
【図２１】図２０に示した表示装置の他の例を表す断面図である。
【図２２】図２０に示した表示装置の構成を表すブロック図である。
【図２３】図２２に示した表示装置等が適用される電子機器の構成を表すブロック図である。
【図２４】図１等に示した発光装置を適用させた照明装置の外観の一例を斜視的に表す図である。
【発明を実施するための形態】
【００１２】
本開示の実施の形態について図面を参照して以下の順に詳細に説明する。
１．実施の形態（第１〜第４反射界面を有する、上面発光型の発光装置の例）
２．変形例１（金属層を用いる例）
３．変形例２（第５反射界面を有する例）
４．変形例３（下面発光型の発光装置の例）
５．適用例１（表示装置および電子機器の例）
６．適用例２（照明装置の例）
【００１３】
＜実施の形態＞
［構成］
図１は、本開示の一実施の形態に係る発光装置（発光装置１）の要部の断面構成を表している。この発光装置１は基板１１を有しており、基板１１には赤色発光素子領域１１Ｒ（第１発光素子領域）、緑色発光素子領域１１Ｇおよび青色発光素子領域１１Ｂ（第２発光素子領域）が設けられている。発光装置１は、赤色発光素子領域１１Ｒに赤色有機ＥＬ素子１０Ｒ、緑色発光素子領域１１Ｇに緑色有機ＥＬ素子１０Ｇ、青色発光素子領域１１Ｂに青色有機ＥＬ素子１０Ｂをそれぞれ有している。
【００１４】
赤色有機ＥＬ素子１０Ｒ、緑色有機ＥＬ素子１０Ｇおよび青色有機ＥＬ素子１０Ｂは、基板１１上に設けられている。赤色有機ＥＬ素子１０Ｒは、基板１１上に第１電極１２、赤色発光層１３１Ｒを含む赤色有機層１３Ｒ、半透明反射層１４Ｒ、第１透明層１５Ｒ、第２透明層１６Ｒおよび第３透明層１７Ｒをこの順に有している。緑色有機ＥＬ素子１０Ｇは、基板１１上に第１電極１２、緑色発光層１３１Ｇを含む緑色有機層１３Ｇ、半透明反射層１４Ｇ、第１透明層１５Ｇ、第２透明層１６Ｇおよび第３透明層１７Ｇをこの順に有している。青色有機ＥＬ素子１０Ｂは、基板１１上に第１電極１２、青色発光層１３１Ｂを含む青色有機層１３Ｂ、半透明反射層１４Ｂ、第１透明層１５Ｂ、第２透明層１６Ｂおよび第３透明層１７Ｂをこの順に有している。
【００１５】
赤色有機ＥＬ素子１０Ｒは、赤色発光層１３１Ｒで発生した赤色波長域の光（赤色光ＬＲ）を、第３透明層１７Ｒ側から出射するようになっている。緑色有機ＥＬ素子１０Ｇは、緑色発光層１３１Ｇで発生した緑色波長域の光（緑色光ＬＧ）を、第３透明層１７Ｇ側から出射するようになっている。青色有機ＥＬ素子１０Ｂは、青色発光層１３１Ｂで発生した青色波長域の光（青色光ＬＢ）を、第３透明層１７Ｂ側から出射するようになっている。発光装置１は、赤色発光層１３１Ｒ，緑色発光層１３１Ｇ，青色発光層１３１Ｂから出射された光を第１電極１２と、第３透明層１７Ｒ，第３透明層１７Ｇ，第３透明層１７Ｂとの間で、多重反射させて、光を取り出すように構成されている。即ち、発光装置１は、共振器構造を有する上面発光型の発光装置である。
【００１６】
基板１１は、赤色有機ＥＬ素子１０Ｒ，緑色有機ＥＬ素子１０Ｇ，青色有機ＥＬ素子１０Ｂを支持するための板状部材であり、例えば透明ガラス基板または半導体基板等により構成されている。基板１１を可撓性基板（フレキシブル基板）により構成するようにしてもよい。
【００１７】
第１電極１２は、アノード電極であるとともに、反射層としての機能も有している。第１電極１２は、例えば、赤色発光素子領域１１Ｒ、緑色発光素子領域１１Ｇおよび青色発光素子領域１１Ｂに共通して設けられている。第１電極１２には、例えばアルミニウム（Ａｌ）およびその合金，白金（Ｐｔ），金（Ａｕ），クロム（Ｃｒ），またはタングステン（Ｗ）等の光反射性材料を用いることができる。第１電極１２は、透明導電材料と、光反射性材料とを積層させて構成するようにしてもよい。第１電極１２の厚みは、１００ｎｍ〜３００ｎｍの範囲であることが好ましい。
【００１８】
赤色有機層１３Ｒは、例えば第１電極１２に近い位置から、正孔注入層、正孔輸送層、赤色発光層１３１Ｒ、電子輸送層および電子注入層をこの順に有している。緑色有機層１３Ｇは、例えば第１電極１２に近い位置から、正孔注入層、正孔輸送層、緑色発光層１３１Ｇ、電子輸送層および電子注入層をこの順に有している。青色有機層１３Ｂは、例えば第１電極１２に近い位置から、正孔注入層、正孔輸送層、青色発光層１３１Ｂ、電子輸送層および電子注入層をこの順に有している。
【００１９】
正孔注入層は、リークを防止するための層であり、例えばヘキサアザトリフェニレン（ＨＡＴ）等により構成されている。正孔注入層の厚みは、例えば１ｎｍ〜２０ｎｍである。正孔輸送層は、例えばα−ＮＰＤ〔N,N'-di(1-naphthyl)-N,N'-diphenyl-〔1,1'-biphenyl 〕-4,4'-diamine 〕により構成されている。正孔輸送層の厚みは、例えば１５ｎｍ〜１００ｎｍである。
【００２０】
赤色発光層１３１Ｒ，緑色発光層１３１Ｇ，青色発光層１３１Ｂは、正孔と電子との結合により、所定の色の光を発するように構成されており、例えば、５ｎｍ〜５０ｎｍの厚みを有している。赤色発光層１３１Ｒは、赤色波長域の光を発するものであり、例えば、ピロメテンホウ素錯体がドーピングされたルブレンにより構成されている。このとき、ルブレンはホスト材料として用いられている。緑色発光層１３１Ｇは、緑色波長域の光を発するものであり、例えばＡｌｑ3（トリスキノリノールアルミニウム錯体）により構成されている。青色発光層１３１Ｂは、青色波長域の光を発するものであり、例えば、ジアミノクリセン誘導体がドーピングされたＡＤＮ（９，１０−ジ（２−ナフチル）アントラセン）により構成されている。このとき、ＡＤＮは、ホスト材料として、正孔輸送層上に例えば厚み２０ｎｍで蒸着され、ジアミノクリセン誘導体は、ドーパント材料として、相対膜厚比で５％ドーピングされる。
【００２１】
電子輸送層は、ＢＣＰ（２，９−ジメチル−４，７−ジフェニル−１，１０−フェナントロリン）により構成されている。電子輸送層の厚みは、例えば１５ｎｍ〜２００ｎｍである。電子注入層は、例えばフッ化リチウム（ＬｉＦ）により構成されている。電子注入層の厚みは、例えば１５ｎｍ〜２７０ｎｍである。
【００２２】
半透明反射層１４Ｒ，１４Ｇ，１４Ｂは、赤色有機層１３Ｒ，緑色有機層１３Ｇ，青色有機層１３Ｂと、第１透明層１５Ｒ，１５Ｇ，１５Ｂとの間に設けられている。半透明反射層１４Ｒ，１４Ｇ，１４Ｂは、必要に応じて設けるようにすればよく、省略するようにしてもよい。半透明反射層１４Ｒ，１４Ｇ，１４Ｂに代えて、透明反射層を設けるようにしてもよい。半透明反射層１４Ｒ，１４Ｇ，１４Ｂは、その厚みが５ｎｍ以上であることが好ましく、例えば、マグネシウム（Ｍｇ），銀（Ａｇ）またはこれらの合金により構成されている。この半透明反射層１４Ｒ，１４Ｇ，１４Ｂが、第１電極１２と対をなす第２電極（カソード電極）としての機能を有していてもよい。高い反射率を有する半透明反射層１４Ｒ，１４Ｇ，１４Ｂを設けることにより、共振器構造の効果が高まり、光取出効率を向上させることができる。これにより、消費電力を抑え、また、赤色有機ＥＬ素子１０Ｒ，緑色有機ＥＬ素子１０Ｇ，青色有機ＥＬ素子１０Ｂの寿命を延ばすこともできる。
【００２３】
第１透明層１５Ｒ，１５Ｇ，１５Ｂ、第２透明層１６Ｒ，１６Ｇ，１６Ｂおよび第３透明層１７Ｒ，１７Ｇ，１７Ｂは、発光装置１の光取出側に設けられている。第１透明層１５Ｒ，１５Ｇ，１５Ｂの厚みは、例えば３０ｎｍ〜４５０ｎｍであり、第２透明層１６Ｒ，１６Ｇ，１６Ｂの厚みは３０ｎｍ〜３８０ｎｍであり、第３透明層１７Ｒ，１７Ｇ，１７Ｂの厚みは、例えば５００ｎｍ〜１００００ｎｍである。
【００２４】
第１透明層１５Ｒ，１５Ｇ，１５Ｂ、第２透明層１６Ｒ，１６Ｇ，１６Ｂおよび第３透明層１７Ｒ，１７Ｇ，１７Ｂには、例えば透明導電材料または透明誘電体材料を用いることができる。透明導電材料としては、例えばＩＴＯ（Indium Tin Oxide）および、インジウムと亜鉛との酸化物（ＩＺＯ）等が挙げられる。透明誘電体材料としては、例えば酸化シリコン（ＳｉＯ2），シリコンオキシナイトライド（ＳｉＯＮ）または窒化シリコン（ＳｉＮ）等が挙げられる。第１透明層１５Ｒ，１５Ｇ，１５Ｂ、第２透明層１６Ｒ，１６Ｇ，１６Ｂおよび第３透明層１７Ｒ，１７Ｇ，１７Ｂは、第２電極（カソード電極）としての機能を有していてもよく、あるいは、パッシベーション膜として機能させるようにしてもよい。第１透明層１５Ｒ，１５Ｇ，１５Ｂ、第２透明層１６Ｒ，１６Ｇ，１６Ｂおよび第３透明層１７Ｒ，１７Ｇ，１７Ｂをパッシベーション膜として機能させ、赤色発光層１３１Ｒ，緑色発光層１３１Ｇ，青色発光層１３１Ｂと第１透明層１５Ｒ，１５Ｇ，１５Ｂとの間に第２電極（カソード電極）を設けるようにしてもよい。第１透明層１５Ｒ，１５Ｇ，１５Ｂ、第２透明層１６Ｒ，１６Ｇ，１６Ｂおよび第３透明層１７Ｒ，１７Ｇ，１７Ｂには、ＭｇＦまたはＮａＦなどの低屈折率材料を用いることも可能である。
【００２５】
第３透明層１７Ｒ，１７Ｇ，１７Ｂの上層には、１μｍ以上の層が設けられていることが好ましい。この１μｍ以上の層は、例えば透明導電材料、透明絶縁材料、樹脂材料またはガラス等により構成されている。空気により構成することも可能である。このような層を設けることにより、第１電極１２と第３透明層１７Ｒ，１７Ｇ，１７Ｂとの間で構成される共振器構造への外部からの干渉を防ぐことができる。
【００２６】
図２Ａ，２Ｂを用いて赤色有機ＥＬ素子１０Ｒ，緑色有機ＥＬ素子１０Ｇ，青色有機ＥＬ素子１０Ｂの共振器構造を説明する。
【００２７】
図２Ａに示したように、赤色有機ＥＬ素子１０Ｒは、基板１１側から、第１反射界面Ｓ１Ｒ、第２反射界面Ｓ２Ｒ、第３反射界面Ｓ３Ｒ、第４反射界面Ｓ４Ｒおよび光取出面ＳＤＲをこの順に有している。第１反射界面Ｓ１Ｒと第２反射界面Ｓ２Ｒとの間には、赤色発光層１３１Ｒの発光中心ＯＲが設けられている。換言すれば、互いに対向する第１反射界面Ｓ１Ｒと光取出面ＳＤＲとの間に赤色発光層１３１Ｒが設けられている。例えば、第１電極１２は、第１反射界面Ｓ１Ｒを間にして赤色発光層１３１Ｒに対向し、第１透明層１５Ｒは、赤色発光層１３１Ｒと光取出面ＳＤＲとの間に設けられている。
【００２８】
図２Ｂに示したように、青色有機ＥＬ素子１０Ｂは、基板１１側から、第１反射界面Ｓ１Ｂ、第２反射界面Ｓ２Ｂ、第３反射界面Ｓ３Ｂ、第４反射界面Ｓ４Ｂおよび光取出面ＳＤＢをこの順に有している。第１反射界面Ｓ１Ｂと第２反射界面Ｓ２Ｂとの間には、発光中心ＯＢが設けられている。換言すれば、互いに対向する第１反射界面Ｓ１Ｂと光取出面ＳＤＢとの間に青色発光層１３１Ｂが設けられている。例えば、第１電極１２は、第１反射界面Ｓ１Ｂ間にして青色発光層１３１Ｂに対向し、第１透明層１５Ｂは、青色発光層１３１Ｂと光取出面ＳＤＢとの間に設けられている。
【００２９】
図示は省略するが、緑色有機ＥＬ素子１０Ｇも、赤色有機ＥＬ素子１０Ｒ，青色有機ＥＬ素子１０Ｂと同様に、第１反射界面、第２反射界面、第３反射界面、第４反射界面および光取出面をこの順に有しており、第１反射界面と第２反射界面との間には、発光中心が設けられている。即ち、赤色発光素子領域１１Ｒ，緑色発光素子領域１１Ｇ，青色発光素子領域１１Ｂにわたって、第１反射界面、発光中心、第２反射界面、第３反射界面、第４反射界面および光取出面がこの順に設けられている。第１反射界面〜第４反射界面は、例えば屈折率差０．１５以上を有する界面により形成されている。
【００３０】
第１反射界面Ｓ１Ｒは、例えば第１電極１２と赤色有機層１３Ｒとの界面である。第１反射界面Ｓ１Ｂは、例えば第１電極１２と青色有機層１３Ｂとの界面である。第１反射界面Ｓ１Ｒ，Ｓ１Ｂは、第１電極１２の構成材料と赤色有機層１３Ｒ，青色有機層１３Ｂの構成材料との屈折率差により形成されている。例えば第１電極１２を構成するアルミニウム（Ａｌ）の屈折率は０．７３、消衰係数は５．９１であり、赤色有機層１３Ｒ，青色有機層１３Ｂの屈折率は１．７５である。第１反射界面Ｓ１Ｒは、発光中心ＯＲから光学距離Ｌ１１の位置に配置されている。第１反射界面Ｓ１Ｂは、発光中心ＯＢから光学距離Ｌ２１の位置に配置されている。
【００３１】
光学距離Ｌ１１，Ｌ２１は、赤色発光層１３１Ｒの発光スペクトルの中心波長λ１の光，青色発光層１３１Ｂの発光スペクトルの中心波長λ２の光を、第１反射界面Ｓ１Ｒ，Ｓ１Ｂと、発光中心ＯＲ，ＯＢとの間における干渉によって強め合うように設定されている。
【００３２】
具体的には、光学距離Ｌ１１，Ｌ２１は、以下の式（１），（５），（９），（１３）を満たすように構成されている。光学距離Ｌ１１は例えば１２５ｎｍであり、光学距離Ｌ２１は例えば８８ｎｍである。
【００３３】
２Ｌ１１／λ１１+ａ１／（２π）＝ｍ１（ただし、ｍ１≧０）・・・・・（１）
λ１−１５０＜λ１１＜λ１＋８０・・・・・（５）
２Ｌ２１／λ２１+ｃ１／（２π）＝ｎ１（ただし、ｎ１≧０）・・・・・（９）
λ２−１５０＜λ２１＜λ２＋８０・・・・・（１３）
ただし、ｍ１、ｎ１：整数
λ１、λ１１、λ２およびλ２１の単位：ｎｍ
ａ１：赤色発光層１３１Ｒから出射された各波長の光が第１反射界面Ｓ１Ｒで反射する際の位相変化
ｃ１：青色発光層１３１Ｂから出射された各波長の光が第１反射界面Ｓ１Ｂで反射する際の位相変化
【００３４】
上記ａ１，ｃ１は、第１電極１２の構成材料の複素屈折率Ｎ＝ｎ０-ｊｋ（ｎ０：屈折率、ｋ：消衰係数）のｎ０、ｋと、赤色有機層１３Ｒ，青色有機層１３Ｂの屈折率とを用いて計算することができる（例えば、Principles of Optics, Max Born and Emil Wolf, 1974 (PERGAMON PRESS)などを参照）。各構成材料の屈折率は、分光エリプソメトリー測定装置を用いて測定することができる。
【００３５】
ｍ１、ｎ１の値が大きいといわゆるマイクロキャビティ（微小共振器）効果が得られないため、ｍ１＝０、ｎ１＝０であることが好ましい。例えば、光学距離Ｌ１１は、以下の式（１７），（１８）を共に満たしている。
【００３６】
２Ｌ１１／λ１１+ａ１／（２π）＝０・・・・・（１７）
λ１−１５０＝４５０＜λ１１＝６００＜λ１＋８０＝６８０・・・・・（１８）
【００３７】
図３は、第１反射界面Ｓ１Ｒでの反射により得られる光の透過率（破線）を、赤色発光層１３１Ｒの発光スペクトル（実線）とともに表したものである。式（１７）を満たす第１反射界面Ｓ１Ｒは、０次の干渉の位置に設けられているので、広い波長帯域にわたって、高い透過率を示す。このため、式（１８）に示したように、λ１１を中心波長λ１から大きくずらすことも可能である。
【００３８】
第２反射界面Ｓ２Ｒは、発光中心ＯＲ（赤色発光層１３１Ｒ）と光取出面ＳＤＲとの間に設けられ、例えば、薄膜の半透明反射層１４Ｒにより形成されている。第２反射界面Ｓ２Ｂは、発光中心ＯＢ（青色発光層１３１Ｂ）と光取出面ＳＤＢとの間に設けられ、例えば、薄膜の半透明反射層１４Ｂにより形成されている。第２反射界面Ｓ２Ｒ，Ｓ２Ｂは、赤色有機層１３Ｒ，青色有機層１３Ｂの構成材料と半透明反射層１４Ｒ，１４Ｂの構成材料との屈折率差により形成されている。例えば、赤色有機層１３Ｒ，青色有機層１３Ｂの屈折率は１．７５であり、半透明反射層１４Ｒ，１４Ｂを構成する銀（Ａｇ）の屈折率は０．１３、消衰係数は３．９６である。第２反射界面Ｓ２Ｒは、発光中心ＯＲから光学距離Ｌ１２の位置に配置されている。第２反射界面Ｓ２Ｂは、発光中心ＯＢから光学距離Ｌ２２の位置に配置されている。
【００３９】
光学距離Ｌ１２，Ｌ２２は、赤色発光層１３１Ｒの発光スペクトルの中心波長λ１の光，青色発光層１３１Ｂの発光スペクトルの中心波長λ２の光を、第２反射界面Ｓ２Ｒ，Ｓ２Ｂと、発光中心ＯＲ，ＯＢとの間における干渉によって強め合うように設定されている。
【００４０】
具体的には、光学距離Ｌ１２，Ｌ２２は、以下の式（２），（６），（１０），（１４）を満たすように構成されている。光学距離Ｌ１２は例えば３９０ｎｍであり、光学距離Ｌ２２は例えば２３０ｎｍである。
【００４１】
２Ｌ１２／λ１２+ａ２／（２π）＝ｍ２・・・・・（２）
λ１−８０＜λ１２＜λ１＋８０・・・・・（６）
２Ｌ２２／λ２２+ｃ２／（２π）＝ｎ２・・・・・（１０）
λ２−８０＜λ２２＜λ２＋８０・・・・・（１４）
ただし、ｍ２、ｎ２：整数
λ１、λ１２、λ２およびλ２２の単位：ｎｍ
ａ２：赤色発光層１３１Ｒから出射された各波長の光が第２反射界面Ｓ２Ｒで反射する際の位相変化
ｃ２：青色発光層１３１Ｂから出射された各波長の光が第２反射界面Ｓ２Ｂで反射する際の位相変化
【００４２】
上記ａ２，ｃ２は、ａ１，ｃ１と同様の方法で求めることができる。
【００４３】
ｍ２、ｎ２の値が大きいといわゆるマイクロキャビティ（微小共振器）効果が得られないため、ｍ２＝１、ｎ２＝１であることが好ましい。
【００４４】
図４は、図３に、第２反射界面Ｓ２Ｒでの反射により得られる光の透過率（一点鎖線）を加えたものである。第１反射界面Ｓ１Ｒおよび第２反射界面Ｓ２Ｒはともに、赤色発光層１３１Ｒで発生した光を、発光中心ＯＲとの間で強め合うように構成されている。この増幅効果により、６２０ｎｍ付近に透過率のピークが発生する。
【００４５】
図５に示したように、半透明反射層１４Ｒ，１４Ｂを設けずに、第２反射界面Ｓ２Ｒ（または第２反射界面Ｓ２Ｂ）を、赤色有機層１３Ｒ（または青色有機層１３Ｂ）と第１透明層１５Ｒ（第１透明層１５Ｂ）との界面により形成するようにしてもよい。
【００４６】
図６に示したように、第１透明層１５Ｒ（または第１透明層１５Ｂ）と第２透明層１６Ｒ（または第２透明層１６Ｂ）との間に第４透明層（第４透明層１８Ｒ）を設けて、この第４透明層１８Ｒと第１透明層１５Ｒとの界面により第２反射界面Ｓ２Ｒ（または第２反射界面Ｓ２Ｂ）を構成するようにしてもよい。
【００４７】
第３反射界面Ｓ３Ｒは、第２反射界面Ｓ２Ｒと光取出面ＳＤＲとの間に設けられ、例えば、第１透明層１５Ｒと第２透明層１６Ｒとの界面である。第３反射界面Ｓ３Ｂは、第２反射界面Ｓ２Ｂと光取出面ＳＤＢとの間に設けられ、例えば、第１透明層１５Ｂと第２透明層１６Ｂとの界面である。第３反射界面Ｓ３Ｒ，Ｓ３Ｂは、第１透明層１５Ｒ，１５Ｂの構成材料と第２透明層１６Ｒ，１６Ｂの構成材料との屈折率差により形成されている。例えば、第１透明層１５Ｒ，１５Ｂを構成する窒化シリコン（ＳｉＮ）の屈折率は１．９５であり、第２透明層１６Ｒ，１６Ｂを構成する酸窒化シリコン（ＳｉＯＮ）の屈折率は１．６５である。第１透明層１５Ｒ，１５Ｂは、屈折率２．０のＩＺＯにより構成するようにしてもよい。第３反射界面Ｓ３Ｒは、発光中心ＯＲから光学距離Ｌ１３の位置に配置されている。第３反射界面Ｓ３Ｂは、発光中心ＯＢから光学距離Ｌ２３の位置に配置されている。第３反射界面Ｓ３Ｒ，Ｓ３Ｂは、第２反射界面Ｓ２Ｒ，Ｓ２Ｂから光学距離で４５０ｎｍ以下の位置に配置されていることが好ましい。第２反射界面Ｓ２Ｒ，Ｓ２Ｂと第３反射界面Ｓ３Ｒ，Ｓ３Ｂとの距離が大きいと共振器構造による効果が得られないためである。
【００４８】
図６に示したように、第３反射界面Ｓ３Ｒが、第４透明層１８Ｒと第２透明層１６Ｒとの界面であってもよい。
【００４９】
第４反射界面Ｓ４Ｒは、第３反射界面Ｓ３Ｒと光取出面ＳＤＲとの間に設けられ、例えば、第２透明層１６Ｒと第３透明層１７Ｒとの界面である。第４反射界面Ｓ４Ｂは、第３反射界面Ｓ３Ｂと光取出面ＳＤＢとの間に設けられ、例えば、第２透明層１６Ｂと第３透明層１７Ｂとの界面である。第４反射界面Ｓ４Ｒ，Ｓ４Ｂは、第２透明層１６Ｒ，１６Ｂの構成材料と第３透明層１７Ｒ，１７Ｂの構成材料の屈折率差により形成されている。第２透明層１６Ｒ，１６Ｂを構成する酸窒化シリコン（ＳｉＯＮ）の屈折率は１．６５であり、第３透明層１７Ｒ，１７Ｂを構成する窒化シリコン（ＳｉＮ）の屈折率は１．９５である。第４反射界面Ｓ４Ｒは、発光中心ＯＲから光学距離Ｌ１４の位置に配置されている。第４反射界面Ｓ４Ｂは、発光中心ＯＢから光学距離Ｌ２４の位置に配置されている。第４反射界面Ｓ４Ｒ，Ｓ４Ｂは、第２反射界面Ｓ２Ｒ，Ｓ２Ｂから光学距離で３８０ｎｍ以下の位置に配置されていることが好ましい。第２反射界面Ｓ２Ｒ，Ｓ２Ｂと第４反射界面Ｓ４Ｒ，Ｓ４Ｂとの距離が大きいと共振器構造による効果が得られないためである。
【００５０】
第３反射界面Ｓ３Ｒ，Ｓ３Ｂおよび第４反射界面Ｓ４Ｒ，Ｓ４Ｂは、例えば厚み５ｎｍ以上の金属薄膜を積層させて形成するようにしてもよい。
【００５１】
本実施の形態の発光装置１では、光学距離Ｌ１３が、赤色発光層１３１Ｒの発光スペクトルの中心波長λ１の光を、第３反射界面Ｓ３Ｒと発光中心ＯＲとの間における干渉によって弱め合うように設定されるとともに、光学距離Ｌ２３は、青色発光層１３１Ｂの発光スペクトルの中心波長λ２の光を、第３反射界面Ｓ３Ｂと発光中心ＯＢとの間における干渉によって強め合うように設定されている。
【００５２】
また、光学距離Ｌ１４が、赤色発光層１３１Ｒの発光スペクトルの中心波長λ１の光を、第４反射界面Ｓ４Ｒと発光中心ＯＲとの間における干渉によって弱め合うように設定されるとともに、光学距離Ｌ２４は、青色発光層１３１Ｂの発光スペクトルの中心波長λ２の光を、第４反射界面Ｓ４Ｂと発光中心ＯＢとの間における干渉によって強め合うように設定されている。
【００５３】
具体的には、光学距離Ｌ１３，Ｌ２３，Ｌ１４，Ｌ２４は、以下の式（３），（４），（７），（８），（１１），（１２），（１５），（１６）を満たすように構成されている。
【００５４】
２Ｌ１３／λ１３+ａ３／（２π）＝ｍ３＋１/２・・・・・（３）
２Ｌ１４／λ１４+ａ４／（２π）＝ｍ４＋１/２・・・・・（４）
λ１−１５０＜λ１３＜λ１＋１５０・・・・・（７）
λ１−１５０＜λ１４＜λ１＋１５０・・・・・（８）
２Ｌ２３／λ２３+ｃ３／（２π）＝ｎ３・・・・・（１１）
２Ｌ２４／λ２４+ｃ４／（２π）＝ｎ４・・・・・（１２）
λ２−１５０＜λ２３＜λ２＋１５０・・・・・（１５）
λ２−１５０＜λ２４＜λ２＋１５０・・・・・（１６）
ただし、ｍ３、ｍ４、ｎ３、ｎ４：整数
λ１、λ１３、λ１４、λ２、λ２３およびλ２４の単位：ｎｍ
ａ３：赤色発光層１３１Ｒから出射された各波長の光が第３反射界面Ｓ３Ｒで反射する際の位相変化
ａ４：赤色発光層１３１Ｒから出射された各波長の光が第４反射界面Ｓ４Ｒで反射する際の位相変化
ｃ３：青色発光層１３１Ｂから出射された各波長の光が第３反射界面Ｓ３Ｂで反射する際の位相変化
ｃ４：青色発光層１３１Ｂから出射された各波長の光が第４反射界面Ｓ４Ｂで反射する際の位相変化
【００５５】
上記ａ３，ｃ３，ａ４，ｃ４は、ａ１，ｃ１と同様の方法で求めることができる。
【００５６】
詳細は後述するが、このように第３反射界面Ｓ３Ｒ，Ｓ３Ｂおよび第４反射界面Ｓ４Ｒ，Ｓ４Ｂでの反射条件を、赤色有機ＥＬ素子１０Ｒと青色有機ＥＬ素子１０Ｂとで異ならせることができるので、発光素子領域（赤色発光素子領域１１Ｒ，緑色発光素子領域１１Ｇ，青色発光素子領域１１Ｂ）毎に、発光状態を調整することができる。
【００５７】
図７Ａ，７Ｂは、赤色発光素子領域１１Ｒの第１反射界面Ｓ１Ｒ〜第３反射界面Ｓ３Ｒでの反射により得られる光の透過率を表している。図７Ａ，７Ｂでは、第１反射界面Ｓ１Ｒ〜第３反射界面Ｓ３Ｒでの反射により得られる光の透過率を実線で表し、第１反射界面Ｓ１Ｒおよび第２反射界面Ｓ２Ｒでの反射により得られる光の透過率を破線で表している。図７Ｂは、図７Ａのピーク（波長６２０ｎｍ）の透過率を１とし、これをもとに規格化した透過率を縦軸に示している。第３反射界面Ｓ３Ｒでの反射が加わることにより、赤色発光層１３１Ｒで発生した光が弱められ、スペクトルの半値幅が広がっている。
【００５８】
図８Ａ，８Ｂは、図７Ａ，７Ｂに第４反射界面Ｓ４Ｒでの反射により得られる光の透過率を加えたものである。図８Ａ，８Ｂでは、第１反射界面Ｓ１Ｒ〜第４反射界面Ｓ４Ｒでの反射により得られる光の透過率を実線で表し、第１反射界面Ｓ１Ｒ〜第３反射界面Ｓ３Ｒでの反射により得られる光の透過率を一点鎖線で表し、第１反射界面Ｓ１Ｒおよび第２反射界面Ｓ２Ｒでの反射により得られる光の透過率を破線で表している。第４反射界面Ｓ４Ｒでの反射が加わることにより、赤色発光層１３１Ｒで発生した光が更に弱められ、スペクトルの半値幅がより広がっている。このようにスペクトルのピーク近傍をなだらかにすることにより、角度による輝度および色相の急激な変化を抑えることができる。
【００５９】
図９Ａ，９Ｂは、青色発光素子領域１１Ｂの第１反射界面Ｓ１Ｂ〜第４反射界面Ｓ４Ｂでの反射により得られる光の透過率を表している。図９Ａ，９Ｂでは、第１反射界面Ｓ１Ｂ〜第４反射界面Ｓ４Ｂでの反射により得られる光の透過率を実線で表し、第１反射界面Ｓ１Ｂ〜第３反射界面Ｓ３Ｂでの反射により得られる光の透過率を一点鎖線で表し、第１反射界面Ｓ１Ｂおよび第２反射界面ＳＢ２での反射により得られる光の透過率を破線で表している。図９Ｂは、図９Ａのピーク（波長４６８ｎｍ）の透過率を１とし、この規格化した透過率を縦軸に示している。第４反射界面Ｓ４Ｂでの反射が加わることにより、青色発光層１３１Ｂで発生した光が強められ、ピークが大きくなっている。このように、急峻なピークをもたせることにより、光取出効率を高めることができる。また、色度点を向上させることも可能である。図９Ａ，９Ｂでは、第１反射界面Ｓ１Ｂおよび第２反射界面Ｓ２Ｂで形成されるスペクトルのピークの位置と、第３反射界面Ｓ３Ｂおよび第４反射界面Ｓ４Ｂで形成されるスペクトルのピークの位置とを合わせるようにしたが、これらをずらすようにしてもよい。このようにすることで、共振器構造の効果が得られる波長帯域を拡大させ、また急峻な輝度および色相の変化を抑えることができる。
【００６０】
緑色有機ＥＬ素子１０Ｇは、例えば青色有機ＥＬ素子１０Ｂと同様に構成された、第１反射界面〜第４反射界面を有している。具体的には、第１反射界面〜第４反射界面が、緑色発光層１３１Ｇの発光スペクトルの中心波長に対して強め合うように構成されている。
【００６１】
このような発光装置１は、基板１１上に、第１電極１２、有機層（赤色有機層１３Ｒ，緑色有機層１３Ｇ，青色有機層１３Ｂ）、半透明反射層１４Ｒ，１４Ｇ，１４Ｂ、第１透明層１５Ｒ，１５Ｇ，１５Ｂ、第２透明層１６Ｒ，１６Ｇ，１６Ｂおよび第３透明層１７Ｒ，１７Ｇ，１７Ｂをこの順に形成することにより製造することができる。赤色有機層１３Ｒ，緑色有機層１３Ｇ，青色有機層１３Ｂは、蒸着法によって形成してもよく、あるいは印刷によって形成するようにしてもよい。換言すれば、赤色有機層１３Ｒ，緑色有機層１３Ｇ，青色有機層１３Ｂは印刷層であってもよい。第１透明層１５Ｒ，１５Ｇ，１５Ｂ、第２透明層１６Ｒ，１６Ｇ，１６Ｂおよび第３透明層１７Ｒ，１７Ｇ，１７Ｂはそれぞれ共通層であり、赤色発光素子領域１１Ｒ，緑色発光素子領域１１Ｇおよび青色発光素子領域１１Ｂにおいて、それぞれ同一の構成材料および同一の厚みで形成されていてもよい。
【００６２】
［作用、効果］
上記のような発光装置１では、赤色有機ＥＬ素子１０Ｒ，緑色有機ＥＬ素子１０Ｇ，青色有機ＥＬ素子１０Ｂの各発光層（赤色発光層１３１Ｒ，緑色発光層１３１Ｇ，青色発光層１３１Ｂ）に第１電極１２と第１透明層１５Ｒ，１５Ｇ，１５Ｂを通じて駆動電流が注入されると、各発光層において正孔と電子とが再結合して励起子を生じ、発光が起こる。
【００６３】
図１０に示したように、各発光層から出射された光は、第１反射界面（第１反射界面Ｓ１Ｒ，Ｓ１Ｂ）と第４反射界面（第４反射界面Ｓ４Ｒ，Ｓ４Ｂ）との間で多重反射され、光取出面（光取出面ＳＤＲ，ＳＤＢ）から取り出される。赤色有機ＥＬ素子１０Ｒでは、赤色光ＬＲが光取出面ＳＤＲから取り出され、緑色有機ＥＬ素子１０Ｇでは、緑色光ＬＧが光取出面から取り出され、青色有機ＥＬ素子１０Ｂでは、青色光ＬＢが光取出面ＳＤＢから取り出される。これら赤色光ＬＲ，緑色光ＬＧおよび青色光ＬＢの加法混色により、様々な色が表現される。
【００６４】
ところが、このような共振器構造を有する発光装置では、様々な構造が提案されているものの、配光特性を向上させることが難しい。
【００６５】
例えば、所望の波長の光が共振するように、透光性電極と反射性電極の間の膜厚を設定し、これにより発光効率を高める方法が提案されている（例えば特許文献１参照）。また、有機層の膜厚を制御することにより、三原色（赤色、緑色、青色）の減衰のバランスをコントロールし、白色の色度点の視野角特性を高める試みもなされている（例えば特許文献４参照）。
【００６６】
しかし、このような共振器構造は、取り出される光のスペクトルに対して、半値幅の狭い干渉フィルタとして機能するので、光取出面を斜め方向から見た場合には、光の波長が大きくシフトする。このため、視野角によって発光強度の低下等が生じ、視野角依存性が高くなってしまう。
【００６７】
また、特許文献２では、視野角による色相変化を低減するための構造が提案されている。しかし、この構造は、単色に適用し、輝度の視野角依存性を低減することは可能かもしれないが、十分に広い波長帯域に適用することが困難である。適用可能な波長帯域を広げるために、反射率をあげることも考え得るが、この場合には、光取出効率が著しく低下する。
【００６８】
上記のように、共振器構造内の位置関係および発光位置等を調整することにより角度依存性を低減する方法が考え得るものの、この方法では調整が困難となる場合がある。例えば、各発光層から出射される光のスペクトルによって、屈折率の波長分散が生じる場合である。屈折率の波長分散では、構成材料の屈折率が各波長によって異なるため、赤色有機ＥＬ素子，緑色有機ＥＬ素子，青色有機ＥＬ素子間で、共振器構造の効果に差異が生じる。例えば、赤色有機ＥＬ素子では、取り出される赤色光のピークが急峻になり過ぎ、青色有機ＥＬ素子では、取り出される青色光のピークがなだらかになり過ぎる。このように、素子領域毎に共振器構造の効果が大きく異なると、輝度および色相の角度依存性が大きくなり、配光特性が低下する。
【００６９】
これに対して、発光装置１では、赤色発光層１３１Ｒで発生した光に対して、第３反射界面Ｓ３Ｒおよび第４反射界面Ｓ４Ｒが及ぼす影響と、青色発光層１３１Ｂで発生した光に対して第３反射界面Ｓ３Ｂおよび第４反射界面Ｓ４Ｂが及ぼす影響とが互いに異なっている。具体的には、赤色発光層１３１Ｒで発生した光および青色発光層１３１Ｂで発生した光は以下のようになる。
【００７０】
赤色発光層１３１Ｒで発生した光は、赤色発光層１３１Ｒの発光中心ＯＲと赤色発光素子領域１１Ｒの第３反射界面Ｓ３Ｒ，第４反射界面Ｓ４Ｒとの間における干渉によって弱められる。一方、青色発光層１３１Ｂで発生した光は、青色発光層１３１Ｂの発光中心ＯＢと青色発光素子領域１１Ｂの第３反射界面Ｓ３Ｂ，第４反射界面Ｓ４Ｂとの間における干渉によって強められる。
【００７１】
これにより、赤色発光素子領域１１Ｒでは、光取出面ＳＤＲからピーク近傍がなだらかな赤色光ＬＲが取り出され（図８Ａ，８Ｂ参照）、青色発光素子領域１１Ｂでは、光取出面ＳＤＢから急峻なピークを有する青色光ＬＢが取り出される（図９Ａ，９Ｂ参照）。したがって、赤色発光素子領域１１Ｒの共振器構造の効果と、青色発光素子領域１１Ｂの共振器構造の効果との違いが小さくなり、輝度および色相の角度依存性が小さくなる。よって、配光特性を向上させることができる。また、高い配光特性を有する発光装置１は、高い画品位を要する表示装置にも好適であり、表示装置の生産性を向上させることができる。
【００７２】
図１１，１２は、視野角特性を表したものである。図１１は、視野角による色度の変化を表し、図１２は、視野角による輝度の変化を表している。発光装置１は、４５°の視野角においても、Δｕｖ≦０．０１５、輝度６０％以上を維持することができ、高画質を実現することができる。
【００７３】
以上のように、本実施の形態の発光装置１では、赤色発光素子領域１１Ｒの第３反射界面Ｓ３Ｒおよび第４反射界面Ｓ４Ｒが、赤色発光層１３１Ｒで発生した光を弱め合うように設けられているのに対し、青色発光素子領域１１Ｂの第３反射界面Ｓ３Ｂおよび第４反射界面Ｓ４Ｂが、青色発光層１３１Ｂで発生した光を強めあうように設けられている。これにより、素子領域毎に、共振器構造の効果を調整することができるので、配光特性を向上させることが可能となる。
【００７４】
また、広い波長帯域にわたって、高い光透過率が得られるので光取出効率を向上させることができる。これにより、消費電力を抑えることも可能となる。
【００７５】
なお、第３反射界面Ｓ３Ｒ，Ｓ３Ｂおよび第４反射界面Ｓ４Ｒ，Ｓ４Ｂを厚み５ｎｍ以上の金属薄膜を積層させて形成すると、広い波長帯域にわたって、高い光透過率を得ることが可能となる。
【００７６】
更に、半透明反射層１４Ｒ，１４Ｇ，１４Ｂを設け、有機層（赤色有機層１３Ｒ，青色有機層１３Ｂ）と半透明反射層１４Ｒ，１４Ｇ，１４Ｂとの界面により第２反射界面（第２反射界面Ｓ２Ｒ，Ｓ２Ｂ）を形成することにより、共振器構造の増幅効果を高め、光取出効率をより向上させることが可能となる。
【００７７】
加えて、発光装置１は、有機層（赤色有機層１３Ｒ，青色有機層１３Ｂ）が印刷層である場合に好適である。有機層は、乾燥工程を経ることなどによって、領域による厚みの大小が生じやすい。即ち、有機層に膜厚分布が生じやすい。発光装置１では、この膜厚分布に起因した、素子領域毎の共振器構造の効果の違いを調整することができる。
【００７８】
以下、本実施の形態の変形例について説明するが、以降の説明において上記実施の形態と同一構成部分については同一符号を付してその説明は適宜省略する。
【００７９】
＜変形例１＞
図１３は、上記実施の形態の変形例１に係る赤色有機ＥＬ素子（赤色有機ＥＬ素子５０Ｒ）の断面構成を模式的に表したものである。この赤色有機ＥＬ素子５０Ｒでは、第２反射界面Ｓ２Ｒが、赤色有機層１３Ｒと金属層５１との界面により構成されている。この点を除き、赤色有機ＥＬ素子５０Ｒは上記実施の形態の赤色有機ＥＬ素子１０Ｒと同様の構成を有し、その作用および効果も同様である。
【００８０】
金属層５１には、例えばマグネシウム（Ｍｇ），銀（Ａｇ）またはこれらの合金を用いることができる。この金属層５１の厚みは５ｎｍ以上であることが好ましい。このような金属層５１を用いて第２反射界面Ｓ２Ｒを形成することにより、外光反射を抑えることができる。以下、これについて説明する。
【００８１】
図１４は、金属層５１を設けたときの、赤色発光素子領域１１Ｒの分光反射特性を表している。金属層５１とともに、カラーフィルタ（例えば後述の図２１のカラーフィルタ層７４）を設けることが好ましい。このカラーフィルタは、赤色発光素子領域１１Ｒでは、赤色波長域の光を透過し、緑色波長域および青色波長域の光を吸収する。このように、カラーフィルタとともに金属層５１を設けることにより、金属薄膜の消衰係数による多重反射が生じるので、外光反射を抑えることができる。よって、共振器構造による増幅効果と、外光反射の抑制効果とが同時に得られる。
【００８２】
例えば、緑色有機ＥＬ素子および青色有機ＥＬ素子（青色有機ＥＬ素子５０Ｂ）にも、金属層５１が設けられている。
【００８３】
＜変形例２＞
図１５は、上記実施の形態の変形例２に係る赤色有機ＥＬ素子（赤色有機ＥＬ素子６０Ｒ）の断面構成を模式的に表したものである。この赤色有機ＥＬ素子６０Ｒでは、第１反射界面Ｓ１Ｒ〜第４反射界面Ｓ４Ｒに加えて、第５反射界面（第５反射界面Ｓ５Ｒ）を有している。この点を除き、赤色有機ＥＬ素子６０Ｒは上記実施の形態の赤色有機ＥＬ素子１０Ｒと同様の構成を有し、その作用および効果も同様である。
【００８４】
第５反射界面Ｓ５Ｒは、例えば、第２反射界面Ｓ２Ｒと第３反射界面Ｓ３Ｒとの間に設けられている。この第５反射界面Ｓ５Ｒは、例えば第１透明層１５Ｒと第５透明層６１との界面であり、第１透明層１５Ｒの構成材料と第５透明層６１の構成材料との屈折率差により形成されている。第５透明層６１は、例えば、第１透明層１５Ｒと第２透明層１６Ｒとの間に設けられている。
【００８５】
図１６〜図１８は、赤色有機ＥＬ素子６０Ｒの断面構成の他の例を表している。
【００８６】
図１６に示したように、第５反射界面Ｓ５Ｒは、第３反射界面Ｓ３Ｒと第４反射界面Ｓ４Ｒとの間に設けられていてもよい。このとき、第５透明層６１は、例えば、第２透明層１６Ｒと第３透明層１７Ｒとの間に設けられている。
【００８７】
図１７に示したように、第５反射界面Ｓ５Ｒは、第４反射界面Ｓ４Ｒと光取出面ＳＤＲとの間に設けられていてもよい。このとき、第５反射界面Ｓ５Ｒは、第２反射界面Ｓ２Ｒから光学距離で１２００ｎｍ以下の位置に配置されていることが好ましい。第２反射界面Ｓ２Ｒ，Ｓ２Ｂと第４反射界面Ｓ４Ｒ，Ｓ４Ｂとの距離が大きいと共振器構造による効果が得られないためである。第５透明層６１は、例えば、第３透明層１７Ｒ上に設けられている。
【００８８】
図１８に示したように、第５反射界面Ｓ５Ｒは、複数設けられていてもよい。例えば、第５反射界面Ｓ５Ｒが、第２反射界面Ｓ２Ｒと第３反射界面Ｓ３Ｒとの間および、第３反射界面Ｓ３Ｒと第４反射界面Ｓ４Ｒとの間に設けられていてもよい。あるいは、第２反射界面Ｓ２Ｒと第３反射界面Ｓ３Ｒとの間および、第４反射界面Ｓ４Ｒと光取出面ＳＤＲとの間であってもよく、第３反射界面Ｓ３Ｒと第４反射界面Ｓ４Ｒとの間および、第４反射界面Ｓ４Ｒと光取出面ＳＤＲとの間であってもよい（図示省略）。あるいは、３つ以上の第５反射界面Ｓ５Ｒを設けるようにしてもよい。
【００８９】
第５反射界面Ｓ５Ｒでの反射は、赤色発光層１３１Ｒの発光スペクトルの中心波長λ１に対して弱め合うように構成されていてもよく、あるいは、強め合うように構成されていてもよい。複数の第５反射界面Ｓ５Ｒがあるとき、その全てが赤色発光層１３１Ｒの発光スペクトルの中心波長λ１に対して弱め合うように構成されていてもよく、あるいは、強め合うように構成されていてもよい。複数の第５反射界面Ｓ５Ｒがあるとき、一部が赤色発光層１３１Ｒの発光スペクトルの中心波長λ１に対して弱め合うように構成され、他の一部が強め合うように構成されていてもよい。
【００９０】
例えば、緑色有機ＥＬ素子および青色有機ＥＬ素子（青色有機ＥＬ素子５０Ｂ）にも、第５反射界面が設けられている。
【００９１】
第５反射界面Ｓ５Ｒを設けることにより、より共振器構造の効果を細かく調整することが可能となる。図１５〜図１８に示した第５反射界面Ｓ５Ｒを、複数組み合わせるようにしてもよい。
【００９２】
＜変形例３＞
図１９は、上記実施の形態の変形例３に係る発光装置（発光装置１Ａ）の断面構成を模式的に表したものである。この発光装置１Ａは、下面発光型の発光装置であり、基板１１上に、第３透明層１７Ｒ，１７Ｂ、第２透明層１６Ｒ，１６Ｂ、第１透明層１５Ｒ，１５Ｂ、有機層（赤色有機層１３Ｒ，青色有機層１３Ｂ）および第１電極１２をこの順に有している。換言すれば、基板１１側から、光取出面ＳＤＲ、第４反射界面Ｓ４Ｒ、第３反射界面Ｓ３Ｒ、第２反射界面Ｓ２Ｒおよび第１反射界面Ｓ１Ｒがこの順に設けられている。この点を除き、発光装置１Ａは上記実施の形態の発光装置１と同様の構成を有し、その作用および効果も同様である。
【００９３】
＜適用例１＞
上記実施の形態等において説明した発光装置１，１Ａは、例えば表示装置（後述の図２０の表示装置２）に適用することができる。配光特性の高い発光装置１，１Ａを表示装置に適用することにより、輝度および色相の角度依存性が小さくなり、高画質を実現可能となる。
【００９４】
図２０は、発光装置１，１Ａが適用される表示装置（表示装置２）の模式的な断面構成を表したものである。表示装置２は、アクティブマトリクス型の表示装置であり、駆動基板７１を有している。表示装置２は、この駆動基板７１と対向する封止基板７２を有し、駆動基板７１と封止基板７２との間に、赤色有機ＥＬ素子１０Ｒ（または赤色有機ＥＬ素子５０Ｒ，６０Ｒ），緑色有機ＥＬ素子１０Ｇ，青色有機ＥＬ素子１０Ｂ（または青色有機ＥＬ素子５０Ｂ，６０Ｂ）を有している。駆動基板７１および封止基板７２の外周部が封止剤７３により封止されている。表示装置２では、例えば封止基板７２側に画像が表示されるようになっている。表示装置２は、白黒表示であってもよく、カラー表示であってもよい。
【００９５】
駆動基板７１は、画素毎に駆動素子としての薄膜トランジスタを有している。駆動基板７１は、薄膜トランジスタとともに、各薄膜トランジスタを駆動するための走査線、電流供給線およびデータ線を有している。各画素の薄膜トランジスタには表示画素毎に対応した表示信号が供給され、この表示信号に応じて画素が駆動され、画像が表示される。
【００９６】
表示装置２には、図２１に示したように、カラーフィルタ層７４を設けるようにしてもよい。カラーフィルタ層７４は、例えば、封止基板７２の一方の面（駆動基板７１との対向面）に設けられている。カラーフィルタ層７４には、例えば赤色，緑色，青色の各色に対応したカラーフィルタが画素毎に設けられている。
【００９７】
図２２は、表示装置２の機能ブロック構成を表すものである。
【００９８】
表示装置２は、外部から入力された映像信号あるいは内部で生成した映像信号を、映像として表示するものであり、上述した有機ＥＬディスプレイの他にも、例えば液晶ディスプレイなどにも適用される。表示装置２は、例えばタイミング制御部２１と、信号処理部２２と、駆動部２３と、表示画素部２４とを備えている。
【００９９】
タイミング制御部２１は、各種のタイミング信号（制御信号）を生成するタイミングジェネレータを有しており、これらの各種のタイミング信号を基に、信号処理部２２等の駆動制御を行うものである。信号処理部２２は、例えば、外部から入力されたデジタルの映像信号に対して所定の補正を行い、それにより得られた映像信号を駆動部２３に出力するものである。駆動部２３は、例えば走査線駆動回路および信号線駆動回路などを含んで構成され、各種制御線を介して表示画素部２４の各画素を駆動するものである。表示画素部２４は、有機ＥＬ素子（赤色有機ＥＬ素子１０Ｒ，緑色有機ＥＬ素子１０Ｇ，青色有機ＥＬ素子１０Ｂ）と、有機ＥＬ素子を画素毎に駆動するための画素回路とを含んで構成されている。これらのうち、例えば、駆動部２３が駆動基板７１により構成されている。
【０１００】
（電子機器の例）
表示装置２は、様々なタイプの電子機器に用いることができる。図２３に、電子機器３の機能ブロック構成を示す。電子機器３としては、例えばテレビジョン装置、パーソナルコンピュータ（ＰＣ）、スマートフォン、タブレット型ＰＣ、携帯電話機、デジタルスチルカメラおよびデジタルビデオカメラ等が挙げられる。
【０１０１】
電子機器３は、例えば上述の表示装置２と、インターフェース部３０とを有している。インターフェース部３０は、外部から各種の信号および電源等が入力される入力部である。このインターフェース部３０は、また、例えばタッチパネル、キーボードまたは操作ボタン等のユーザインターフェースを含んでいてもよい。
【０１０２】
＜適用例２＞
上記実施の形態等において説明した発光装置１，１Ａは、例えば照明装置（後述の図２４の照明部４１０）に適用することができる。発光装置１，１Ａは、卓上用もしくは床置き用の照明装置、または、室内用の照明装置など、あらゆる分野の照明装置の光源に適用することが可能である。
【０１０３】
図２４は、発光装置１，１Ａが適用される室内用の照明装置の外観を表したものである。この照明装置は、例えば、有機ＥＬ素子（赤色有機ＥＬ素子１０Ｒ，緑色有機ＥＬ素子１０Ｇ，青色有機ＥＬ素子１０Ｂ）を含んで構成された照明部４１０を有している。照明部４１０は、建造物の天井４２０に適宜の個数および間隔で配置されている。なお、照明部４１０は、用途に応じて、天井４２０に限らず、壁４３０または床（図示せず）など任意の場所に設置することが可能である。
【０１０４】
これらの照明装置では、配光特性の高い発光装置１，１Ａからの光により、照明が行われる。これにより、演色性に優れた照明を実現することができる。
【０１０５】
以上、実施の形態および適用例を挙げて説明したが、本開示は上記実施の形態等に限定されるものではなく、種々変形が可能である。例えば、上記実施の形態等で説明した数値、構造、形状、材料および作成方法等は、一例であり、これらと異なるものを用いるようにしてもよい。
【０１０６】
また、上記実施の形態等では、緑色有機ＥＬ素子１０Ｇが、青色有機ＥＬ素子１０Ｂと同様の共振器構造を有する場合について説明したが、緑色有機ＥＬ素子１０Ｇは、赤色有機ＥＬ素子１０Ｒと同様の共振器構造を有していてもよい。
【０１０７】
尚、本明細書中に記載された効果はあくまで例示であって限定されるものではなく、また、他の効果があってもよい。
【０１０８】
また、本開示は以下のような構成をとることも可能である。
（１）
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と、
前記第３反射界面と前記光取出面との間に設けられ、その反射が前記第１発光層の発光スペクトルの中心波長に対して弱め合うとともに、前記第２発光層の発光スペクトルの中心波長に対して強め合うように構成された第４反射界面と
を備えた発光装置。
（２）
前記第１反射界面は、前記第１発光層および前記第２発光層の発光スペクトルの中心波長に対して強め合うように構成されている
前記（１）記載の発光装置。
（３）
前記第１反射界面と前記第１発光層の発光中心との光学距離をＬ１１、前記第２反射界面と前記第１発光層の発光中心との光学距離をＬ１２、前記第３反射界面と前記第１発光層の発光中心との光学距離をＬ１３、前記第４反射界面と前記第１発光層の発光中心との光学距離をＬ１４、前記第１発光層の発光スペクトルの中心波長をλ１としたとき、Ｌ１１、Ｌ１２、Ｌ１３およびＬ１４は以下の式（１）〜（８）を全て満たす
前記（２）記載の発光装置。
２Ｌ１１／λ１１+ａ１／（２π）＝ｍ１（ただし、ｍ１≧０）・・・・・（１）
２Ｌ１２／λ１２+ａ２／（２π）＝ｍ２・・・・・（２）
２Ｌ１３／λ１３+ａ３／（２π）＝ｍ３＋１/２・・・・・（３）
２Ｌ１４／λ１４+ａ４／２π＝ｍ４＋１/２・・・・・（４）
λ１−１５０＜λ１１＜λ１＋８０・・・・・（５）
λ１−８０＜λ１２＜λ１＋８０・・・・・（６）
λ１−１５０＜λ１３＜λ１＋１５０・・・・・（７）
λ１−１５０＜λ１４＜λ１＋１５０・・・・・（８）
ただし、ｍ１、ｍ２、ｍ３、ｍ４：整数
λ１、λ１１、λ１２、λ１３およびλ１４の単位：ｎｍ
ａ１：第１発光層から出射された各波長の光が第１反射界面で反射する際の位相変化
ａ２：第１発光層から出射された各波長の光が第２反射界面で反射する際の位相変化
ａ３：第１発光層から出射された各波長の光が第３反射界面で反射する際の位相変化
ａ４：第１発光層から出射された各波長の光が第４反射界面で反射する際の位相変化
（４）
ｍ１＝０、ｍ２＝１である
前記（３）記載の発光装置。
（５）
前記第１反射界面と前記第２発光層の発光中心との光学距離をＬ２１、前記第２反射界面と前記第２発光層の発光中心との光学距離をＬ２２、前記第３反射界面と前記第２発光層の発光中心との光学距離をＬ２３、前記第４反射界面と前記第２発光層の発光中心との光学距離をＬ２４、前記第２発光層の発光スペクトルの中心波長をλ２としたとき、Ｌ２１、Ｌ２２、Ｌ２３およびＬ２４は以下の式（９）〜（１６）を全て満たす
前記（２）乃至（４）のうちいずれか１つに記載の発光装置。
２Ｌ２１／λ２１+ｃ１／（２π）＝ｎ１（ただし、ｎ１≧０）・・・・・（９）
２Ｌ２２／λ２２+ｃ２／（２π）＝ｎ２・・・・・（１０）
２Ｌ２３／λ２３+ｃ３／（２π）＝ｎ３・・・・・（１１）
２Ｌ２４／λ２４+ｃ４／（２π）＝ｎ４・・・・・（１２）
λ２−１５０＜λ２１＜λ２＋８０・・・・・（１３）
λ２−８０＜λ２２＜λ２＋８０・・・・・（１４）
λ２−１５０＜λ２３＜λ２＋１５０・・・・・（１５）
λ２−１５０＜λ２４＜λ２＋１５０・・・・・（１６）
ただし、ｎ１、ｎ２、ｎ３、ｎ４：整数
λ２、λ２１、λ２２、λ２３およびλ２４の単位：ｎｍ
ｃ１：第２発光層から出射された各波長の光が第１反射界面で反射する際の位相変化
ｃ２：第２発光層から出射された各波長の光が第２反射界面で反射する際の位相変化
ｃ３：第２発光層から出射された各波長の光が第３反射界面で反射する際の位相変化
ｃ４：第２発光層から出射された各波長の光が第４反射界面で反射する際の位相変化
（６）
ｎ１＝０、ｎ２＝１である
前記（５）記載の発光装置。
（７）
更に、前記第２反射界面と前記第３反射界面との間、前記第３反射界面と前記第４反射界面との間および、前記第４反射界面と前記光取出面との間の少なくともいずれか１つに第５反射界面を有する
前記（１）乃至（６）のうちいずれか１つに記載の発光装置。
（８）
更に、前記第１発光素子領域および前記第２発光素子領域に設けられ、前記第１発光層および前記第２発光層を間にして互いに対向する第１電極および第２電極を有し、
前記第１電極は、前記第１反射界面を間にして前記第１発光層および前記第２発光層と対向し、
前記第２電極は、前記第１発光層および前記第２発光層と光取出面との間に設けられている
前記（１）乃至（７）のうちいずれか１つに記載の発光装置。
（９）
更に、基板を含み、
前記基板に近い位置から順に、前記第１電極と、前記第１発光層および前記第２発光層と、前記第２電極とが設けられている
前記（８）記載の発光装置。
（１０）
更に、基板を含み、
前記基板に近い位置から順に、前記第２電極と、前記第１発光層および前記第２発光層と、前記第１電極とが設けられている
前記（８）記載の発光装置。
（１１）
更に、前記第１発光層を含む第１有機層と、
前記第２発光層を含む第２有機層とを有する
前記（１）乃至（１０）のうちいずれか１つに記載の発光装置。
（１２）
前記第１発光層および前記第２発光層は印刷層である
前記（１１）記載の発光装置。
（１３）
更に、前記第１発光素子領域および前記第２発光素子領域に設けられた半透明反射層または透明反射層を有し、
前記第２反射界面は、前記半透明反射層または前記透明反射層により形成されている
前記（１）乃至（１２）のうちいずれか１つに記載の発光装置。
（１４）
更に、前記第１発光素子領域および前記第２発光素子領域に設けられた金属層およびカラーフィルタを有し、
前記第２反射界面は、前記第１有機層および前記第２有機層各々と、前記金属層との界面である
前記（１１）または（１２）記載の発光装置。
（１５）
前記金属層の厚みは５ｎｍ以上である
前記（１４）記載の発光装置。
（１６）
発光装置および前記発光装置を画素毎に駆動する駆動素子を備え、
前記発光装置は、
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と、
前記第３反射界面と前記光取出面との間に設けられ、その反射が前記第１発光層の発光スペクトルの中心波長に対して弱め合うとともに、前記第２発光層の発光スペクトルの中心波長に対して強め合うように構成された第４反射界面とを備えた
表示装置。
（１７）
発光装置を備え、
前記発光装置は、
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と、
前記第３反射界面と前記光取出面との間に設けられ、その反射が前記第１発光層の発光スペクトルの中心波長に対して弱め合うとともに、前記第２発光層の発光スペクトルの中心波長に対して強め合うように構成された第４反射界面とを備えた
照明装置。
【符号の説明】
【０１０９】
１，１Ａ…発光装置、２…表示装置、３…電子機器、１０Ｒ，５０Ｒ，６０Ｒ…赤色有機ＥＬ素子、１０Ｇ…緑色有機ＥＬ素子、１０Ｂ，５０Ｂ，６０Ｂ…青色有機ＥＬ素子、１１…基板、１２…第１電極、１３Ｒ…赤色有機層、１３Ｇ…緑色有機層、１３Ｂ…青色有機層、１３１Ｒ…赤色発光層、１３１Ｇ…緑色発光層、１３１Ｂ…青色発光層、１４Ｒ，１４Ｇ，１４Ｂ…半透明反射層、１５Ｒ，１５Ｇ，１５Ｂ…第１透明層、１６Ｒ，１６Ｇ，１６Ｂ…第２透明層、１７Ｒ，１７Ｇ，１７Ｂ…第３透明層、１８Ｒ…第４透明層、２１…タイミング制御部、２２…信号処理部、２３…駆動部、２４…表示画素部、３０…インターフェース部、５１…金属層、６１…第５透明層、７１…駆動基板、７２…封止基板、７３…封止剤、７４…カラーフィルタ層、Ｓ１Ｒ，Ｓ１Ｂ…第１反射界面、Ｓ２Ｒ，Ｓ２Ｂ…第２反射界面、Ｓ３Ｒ，Ｓ３Ｂ…第３反射界面、Ｓ４Ｒ，Ｓ４Ｂ…第４反射界面、Ｓ５Ｒ，Ｓ５Ｂ…第５反射界面、ＳＤＲ，ＳＤＢ…光取出面。
【図１】
2020123589.tif 000003
【図２Ａ】
2020123589.tif 000004
【図２Ｂ】
2020123589.tif 000005
【図３】
2020123589.tif 000006
【図４】
2020123589.tif 000007
【図５】
2020123589.tif 000008
【図６】
2020123589.tif 000009
【図７Ａ】
2020123589.tif 000010
【図７Ｂ】
2020123589.tif 000011
【図８Ａ】
2020123589.tif 000012
【図８Ｂ】
2020123589.tif 000013
【図９Ａ】
2020123589.tif 000014
【図９Ｂ】
2020123589.tif 000015
【図１０】
2020123589.tif 000016
【図１１】
2020123589.tif 000017
【図１２】
2020123589.tif 000018
【図１３】
2020123589.tif 000019
【図１４】
2020123589.tif 000020
【図１５】
2020123589.tif 000021
【図１６】
2020123589.tif 000022
【図１７】
2020123589.tif 000023
【図１８】
2020123589.tif 000024
【図１９】
2020123589.tif 000025
【図２０】
2020123589.tif 000026
【図２１】
2020123589.tif 000027
【図２２】
2020123589.tif 000028
【図２３】
2020123589.tif 000029
【図２４】
2020123589.tif 000030
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と
を備えた発光装置。
【請求項２】
前記第１反射界面は、前記第１発光層および前記第２発光層の発光スペクトルの中心波長に対して強め合うように構成されている
請求項１記載の発光装置。
【請求項３】
前記第１反射界面と前記第１発光層の発光中心との光学距離をＬ１１、前記第２反射界面と前記第１発光層の発光中心との光学距離をＬ１２、前記第３反射界面と前記第１発光層の発光中心との光学距離をＬ１３、前記第１発光層の発光スペクトルの中心波長をλ１としたとき、Ｌ１１、Ｌ１２およびＬ１３は以下の式（１）〜（６）を全て満たす
請求項２記載の発光装置。
２Ｌ１１／λ１１+ａ１／（２π）＝ｍ１（ただし、ｍ１≧０）・・・・・（１）
２Ｌ１２／λ１２+ａ２／（２π）＝ｍ２・・・・・（２）
２Ｌ１３／λ１３+ａ３／（２π）＝ｍ３＋１/２・・・・・（３）
λ１−１５０＜λ１１＜λ１＋８０・・・・・（４）
λ１−８０＜λ１２＜λ１＋８０・・・・・（５）
λ１−１５０＜λ１３＜λ１＋１５０・・・・・（６）
ただし、ｍ１、ｍ２、ｍ３：整数
λ１、λ１１、λ１２およびλ１３の単位：ｎｍ
ａ１：第１発光層から出射された各波長の光が第１反射界面で反射する際の位相変化
ａ２：第１発光層から出射された各波長の光が第２反射界面で反射する際の位相変化
ａ３：第１発光層から出射された各波長の光が第３反射界面で反射する際の位相変化
【請求項４】
ｍ１＝０、ｍ２＝１である
請求項３記載の発光装置。
【請求項５】
前記第１反射界面と前記第２発光層の発光中心との光学距離をＬ２１、前記第２反射界面と前記第２発光層の発光中心との光学距離をＬ２２、前記第３反射界面と前記第２発光層の発光中心との光学距離をＬ２３、前記第２発光層の発光スペクトルの中心波長をλ２としたとき、Ｌ２１、Ｌ２２およびＬ２３は以下の式（７）〜（１２）を全て満たす
請求項２記載の発光装置。
２Ｌ２１／λ２１+ｃ１／（２π）＝ｎ１（ただし、ｎ１≧０）・・・・・（７）
２Ｌ２２／λ２２+ｃ２／（２π）＝ｎ２・・・・・（８）
２Ｌ２３／λ２３+ｃ３／（２π）＝ｎ３・・・・・（９）
λ２−１５０＜λ２１＜λ２＋８０・・・・・（１０）
λ２−８０＜λ２２＜λ２＋８０・・・・・（１１）
λ２−１５０＜λ２３＜λ２＋１５０・・・・・（１２）
ただし、ｎ１、ｎ２、ｎ３：整数
λ２、λ２１、λ２２およびλ２３の単位：ｎｍ
ｃ１：第２発光層から出射された各波長の光が第１反射界面で反射する際の位相変化
ｃ２：第２発光層から出射された各波長の光が第２反射界面で反射する際の位相変化
ｃ３：第２発光層から出射された各波長の光が第３反射界面で反射する際の位相変化
【請求項６】
ｎ１＝０、ｎ２＝１である
請求項５記載の発光装置。
【請求項７】
更に、前記第１発光素子領域および前記第２発光素子領域に設けられ、前記第１発光層および前記第２発光層を間にして互いに対向する第１電極および第２電極を有し、
前記第１電極は、前記第１反射界面を間にして前記第１発光層および前記第２発光層と対向し、
前記第２電極は、前記第１発光層および前記第２発光層と光取出面との間に設けられている
請求項１記載の発光装置。
【請求項８】
更に、基板を含み、
前記基板に近い位置から順に、前記第１電極と、前記第１発光層および前記第２発光層と、前記第２電極とが設けられている
請求項７記載の発光装置。
【請求項９】
更に、基板を含み、
前記基板に近い位置から順に、前記第２電極と、前記第１発光層および前記第２発光層と、前記第１電極とが設けられている
請求項７記載の発光装置。
【請求項１０】
更に、前記第１発光層を含む第１有機層と、
前記第２発光層を含む第２有機層とを有する
請求項１記載の発光装置。
【請求項１１】
前記第１発光層および前記第２発光層は印刷層である
請求項１０記載の発光装置。
【請求項１２】
更に、前記第１発光素子領域および前記第２発光素子領域に設けられた半透明反射層または透明反射層を有し、
前記第２反射界面は、前記半透明反射層または前記透明反射層により形成されている
請求項１記載の発光装置。
【請求項１３】
更に、前記第１発光素子領域および前記第２発光素子領域に設けられた金属層およびカラーフィルタを有し、
前記第２反射界面は、前記第１有機層および前記第２有機層各々と、前記金属層との界面である
請求項１０記載の発光装置。
【請求項１４】
前記金属層の厚みは５ｎｍ以上である
請求項１３記載の発光装置。
【請求項１５】
発光装置および前記発光装置を画素毎に駆動する駆動素子を備え、
前記発光装置は、
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と
を備えた
表示装置。
【請求項１６】
発光装置を備え、
前記発光装置は、
第１発光素子領域および第２発光素子領域と、
前記第１発光素子領域および前記第２発光素子領域に設けられた第１反射界面と、
前記第１反射界面に対向する光取出面と、
前記第１発光素子領域の前記第１反射界面と前記光取出面との間に設けられた第１発光層と、
前記第２発光素子領域の前記第１反射界面と前記光取出面との間に設けられた第２発光層と、
前記第１発光層および前記第２発光層各々と、前記光取出面との間に設けられ、その反射が前記第１発光層および前記第２発光層の発光スペクトルの中心波長に対して強め合うように構成された第２反射界面と、
前記第２反射界面と前記光取出面との間に設けられ、その反射が前記第１発光層の発光スペクトルの中心波長に対して弱め合うとともに、前記第２発光層の発光スペクトルの中心波長に対して強め合うように構成された第３反射界面と
を備えた
照明装置。
【手続補正２】
【補正対象書類名】明細書
【補正対象項目名】０００６
【補正方法】変更
【補正の内容】
【０００６】
本開示の一実施の形態に係る発光装置は、第１発光素子領域および第２発光素子領域と、第１発光素子領域および第２発光素子領域に設けられた第１反射界面と、第１反射界面に対向する光取出面と、第１発光素子領域の第１反射界面と光取出面との間に設けられた第１発光層と、第２発光素子領域の第１反射界面と光取出面との間に設けられた第２発光層と、第１発光層および第２発光層各々と、光取出面との間に設けられ、その反射が第１発光層および第２発光層の発光スペクトルの中心波長に対して強め合うように構成された第２反射界面と、第２反射界面と光取出面との間に設けられ、その反射が第１発光層の発光スペクトルの中心波長に対して弱め合うとともに、第２発光層の発光スペクトルの中心波長に対して強め合うように構成された第３反射界面とを備えたものである。
【手続補正３】
【補正対象書類名】明細書
【補正対象項目名】０００９
【補正方法】変更
【補正の内容】
【０００９】
本開示の一実施の形態に係る発光装置、表示装置および照明装置では、第３反射界面での反射が、第１発光層の発光スペクトルの中心波長に対して弱め合うとともに、第２発光層の発光スペクトルの中心波長に対して強め合うように構成されている。このように、第１発光素子領域と第２発光素子領域との間で、第３反射界面での反射条件を異ならせることができるので、発光素子領域毎に、発光状態が調整される。
【手続補正４】
【補正対象書類名】明細書
【補正対象項目名】００１０
【補正方法】変更
【補正の内容】
【００１０】
本開示の一実施の形態に係る発光装置、表示装置および照明装置によれば、第１発光素子領域と第２発光素子領域との間で、第３反射界面での反射条件を異ならせるようにしたので、発光素子領域毎に、発光状態を調整することができる。よって、配光特性を向上させることが可能となる。なお、ここに記載された効果は必ずしも限定されるものではなく、本開示中に記載されたいずれの効果であってもよい。